(57)【特許請求の範囲】
【請求項１】
手術後の創傷部に配置される排液チューブを接続するための接続部が後端部に形成され、先端部に穿刺部が形成されているとともに、中央側部分に細径部が形成された医療用針に取り付けられる医療用針の補強具であって、
前記補強具を断面形状が半円形に形成された略樋状の２個の分割部材で構成して、前記２個の分割部材の長手方向に沿った縁部同士を組み付けることにより前記医療用針の細径部に着脱可能に取り付けできるようにし、
さらに、前記２個の分割部材のうちの一方の分割部材を弾性を備えた部材で構成して、前記補強具を前記細径部に取り付けたときに、前記一方の分割部材の内周面と前記医療用針の細径部との間に隙間が形成され、前記２個の分割部材のうちの他方の分割部材の内周面と前記医療用針の細径部とが略接触するようにしたことを特徴とする医療用針の補強具。
【請求項２】
前記補強具の外径を、前記医療用針の本体を構成する中央側部分における前記細径部以外の部分の外径と略同じ大きさにした請求項１に記載の医療用針の補強具。
【請求項３】
前記２個の分割部材のうちの一方の分割部材の長手方向に沿った両縁部の外側面にそれぞれ係合部を設けるとともに、前記２個の分割部材のうちの他方の分割部材の長手方向に沿った両縁部の内側面に、前記一方の分割部材の両係合部とそれぞれ係合可能な被係合部を設けて、前記一方の分割部材の長手方向に沿った縁部を中心軸側に撓ませることで前記一方の分割部材を、前記他方の分割部材に対して着脱可能にした請求項１または２に記載の医療用針の補強具。
【請求項４】
前記医療用針が細径部を所定角度に屈曲して使用されるものであり、前記補強具が前記細径部の屈曲角度に合わせて予め屈曲されている請求項１ないし３のうちのいずれか一つに記載の医療用針の補強具。
【請求項５】
前記補強具が屈曲可能に構成されている請求項１ないし４のうちのいずれか一つに記載の医療用針の補強具。
【発明の詳細な説明】
【技術分野】
【０００１】
本発明は、手術後の創傷部に排液チューブを挿入するために用いられる医療用針に取り付けられる着脱可能な医療用針の補強具に関する。
【背景技術】
【０００２】
従来から、外科手術の後に、創傷部に排液チューブを挿入して創傷部に生じる体内の分泌液を排出することが行われている。この場合、排液チューブの先端部に医療用針を取り付けて、医療用針を患者の体に通すことにより、排液チューブの後端側部分を創傷部に留置させている（例えば、特許文献１参照）。
【特許文献１】特開昭６０−７８５１号公報
【発明の開示】
【０００３】
しかしながら、前述した医療用針は、強度が大きいため屈曲させることが難しく、当初の状態より屈曲させた状態で使用したい場合でも曲げることが難しいという問題がある。また、この医療用針は、体内から抜く場合に滑りやすいため操作がし難いという問題もある。このため、中腹部に窪みや細径部を設けて、曲げやすくするとともに持ちやすくした医療用針もある。しかしながら、これによると、強度が不足して強い力が加わると医療用針が不意に曲がってしまうおそれがある。
【０００４】
本発明はこのような事情に鑑みなされたものでその目的は、医療用針を必要に応じて屈曲させることができるとともに、強度を大きくすることができる医療用針の補強具を提供することである。
【０００５】
前述した目的を達成するため、本発明に係る医療用針の補強具の構成上の特徴は、手術後の創傷部に配置される排液チューブを接続するための接続部が後端部に形成され、先端部に穿刺部が形成されているとともに、中央側部分に細径部が形成された医療用針に取り付けられる医療用針の補強具であって、補強具を断面形状が半円形に形成された略樋状の２個の分割部材で構成して、２個の分割部材の長手方向に沿った縁部同士を組み付けることにより医療用針の細径部に着脱可能に取り付けできるようにし、さらに、２個の分割部材のうちの一方の分割部材を弾性を備えた部材で構成して、補強具を細径部に取り付けたときに、一方の分割部材の内周面と医療用針の細径部との間に隙間が形成され、２個の分割部材のうちの他方の分割部材の内周面と医療用針の細径部とが略接触するようにしたことにある。
【０００６】
この補強具は、医療用針の中で強度が小さく屈曲しやすい細径部に取り付けられるように構成されている。したがって、補強具を医療用針の細径部に取り付けることにより医療用針の強度を向上させることができ、操作中に不意に医療用針が屈曲することが防止される。また、医療用針を屈曲させた状態で使用したい場合には、医療用針から補強具を取り外すことにより、細径部を屈曲させることができる。また、医療用針を体から引き抜く際には、補強具が穿刺部とともに体外に出たときに、医療用針から補強具を取り外すことにより、それ以後の操作は、細径部を持って行うことができる。さらに、医療用針に補強具を取り付けたときに、医療用針の本体部の周面と、補強具の端部との間に段差や隙間ができるようにすることもできる。これによると、医療用針を操作する際に手が滑ることを防止できる。
【０００７】
また、本発明に係る医療用針では、補強具を、断面形状が半円形に形成された略樋状の２個の分割部材で構成し、２個の分割部材の長手方向に沿った縁部同士を組み付けることにより円筒形になるようにしている。これによると、２個の分割部材の医療用針への組み付けおよび取り外しの操作が簡単になる。
【０００８】
また、本発明に係る医療用針の補強具の他の構成上の特徴は、補強具の外径を、医療用針の本体を構成する中央側部分における細径部以外の部分の外径と略同じ大きさにしたことにある。これによると、医療用針の長手方向に沿った中央側部分の太さが略均等になるため、医療用針を患者の体に穿刺する際の患者への負担を低減することができ、かつ操作がし易くなる。
【０００９】
また、本発明に係る医療用針の補強具のさらに他の構成上の特徴は、２個の分割部材のうちの一方の分割部材の長手方向に沿った両縁部の外側面にそれぞれ係合部を設けるとともに、２個の分割部材のうちの他方の分割部材の長手方向に沿った両縁部の内側面に、一方の分割部材の両係合部とそれぞれ係合可能な被係合部を設けて、一方の分割部材の長手方向に沿った縁部を中心軸側に撓ませることで一方の分割部材を、他方の分割部材に対して着脱可能にしたことにある。
【００１０】
これによると、２個の分割部材を互いに組み付ける場合には、一方の分割部材の両縁部を中心軸側に押して撓ませ、他方の分割部材の両縁部の内部側に位置させた状態で、一方の分割部材の両縁部に対する押圧を解除することにより、一方の分割部材を他方の分割部材に係合させることができる。この場合、一方の分割部材は、弾性を備えているため、両縁部を中心軸側に押す力から開放されると元の状態に復元して、一方の分割部材の係合部が他方の分割部材の被係合部に係合する。また、組み付けられた２個の分割部材を外す場合には、一方の分割部材の両縁部を中心軸側に押して撓ませることにより、一方の分割部材の係合部と他方の分割部材の被係合部との係合を解除する。そして、一方の分割部材を他方の分割部材から離すことにより、２個の分割部材を分解することができる。
【００１１】
また、本発明に係る医療用針の補強具のさらに他の構成上の特徴は、医療用針が細径部を所定角度に屈曲して使用されるものであり、補強具が細径部の屈曲角度に合わせて予め屈曲されていることにある。これによると、屈曲した状態の医療用針の細径部の強度を向上させて、スムーズな操作が行えるようにすることができる。
【００１２】
また、本発明に係る医療用針の補強具のさらに他の構成上の特徴は、補強具が屈曲可能に構成されていることにある。これによると、医療用針の細径部を所定の角度に屈曲した場合に、細径部の屈曲角度に合わせて補強具も屈曲させることができる。この場合の補強具は、医療用針の細径部よりも屈曲し難くすることが好ましく、細径部に補強具を取り付けたときに、双方の強度により細径部および補強具が屈曲しないようにする。これによって、医療用針を所定の角度に屈曲することができるとともに、実際に使用する手術中には、医療用針が屈曲することを防止できる。
【発明を実施するための最良の形態】
【００１３】
（第１実施形態）
以下、本発明の第１実施形態を図面を用いて詳しく説明する。図１および図２は、同実施形態に係る補強具２０が取り付けられた金属製の医療用針１０を示している。この医療用針１０は、直径が小さな円柱状の本体１１と、本体１１の先端側に形成された穿刺部１２と、本体１１の後端側に形成された接続部１３とで構成されており、本体１１の長手方向に沿った先端側部分には、図３に示したように細径部１４が形成されている。穿刺部１２は、図２のように、先端上部が先鋭な頂点部１５ａに形成され、その頂点部１５ａから後方下部側に向って傾斜した稜線部１５ｂを形成するように、平面状の側面１５ｃ，１５ｄが両側に形成された針状体で構成されている。以下、穿刺部１２側を前方、接続部１３側を後方、図２（ａ）における稜線部１５ｂの頂点部１５ａ側を上方、稜線部１５ｂの頂点部１５ａと反対側を下方として説明する。
【００１４】
また、接続部１３は、医療用針１０を排液チューブ（図示せず）に接続させるためのものであり、本体１１よりも直径の小さな棒状部１６ａと、棒状部１６ａの周面に長手方向に間隔を保って形成された３個の抜け止め突部１６ｂとで構成されている。この抜け止め部１６ｂは、後部側部分の直径よりも前部側部分の直径が徐々に大きくなるように、外周面にテーパが設けられた略リング状の突部で構成されている。このため、医療用針１０に排液チューブを接続する際には、接続部１３を覆うようにして排液チューブを接続部１３の後部に押し付けると、排液チューブの内面が抜け止め突部１６ｂのテーパ面上を滑るようにして進み、排液チューブは接続部１３に接続される。
【００１５】
また、一旦排液チューブが接続部１３に接続されると、各抜け止め部１６ｂの前端周縁部が抵抗となって排液チューブは接続部１３から外れ難くなる。細径部１４は、接続部１３の棒状部１６ａと略同じ太さに形成された棒状の可撓部１７ａと、可撓部１７ａの両端側に形成されたテーパ部１７ｂ，１７ｃとで構成されている。テーパ部１７ｂは、可撓部１７ａの前端部から前方にいくほど徐々に直径が大きくなっており、テーパ部１７ｃは、可撓部１７ａの後端部から後方にいくほど徐々に直径が大きくなっている。
【００１６】
補強具２０は、図４および図５に示したように、互いに着脱可能になった略樋状の２個の分割部材２１，２２で構成されており、分割部材２１，２２はそれぞれステンレスからなっている。分割部材２１の外周面の直径（図４（ｂ）および図５（ｂ）の左右方向の径）は、医療用針１０の本体１１の直径と略同じに設定され、分割部材２１の内周面の直径は、医療用針１０の可撓部１７ａの直径よりも大きくなるように設定されている。このため、補強具２０を医療用針１０の細径部１４に取り付けたときに、医療用針１０の外周面と分割部材２１の外周面とは略同一面上に位置するようになり、分割部材２１の内周面と可撓部１７ａの外周面との間には所定の大きさの隙間が形成される。
【００１７】
また、図６に示したように、分割部材２１の内周面における両側部分には、それぞれ細径部１４のテーパ部１７ｂ，１７ｃから所定間隔を保った状態でテーパ部１７ｂ，１７ｃに沿うことのできるテーパ状の凹部２３ａ，２３ｂが形成されている。そして、分割部材２１の長手方向に沿った両縁部は、それぞれ外面側部分が切り欠かれて薄肉に形成されその外面における上下方向の中央に突条からなる係合部２４ａ，２４ｂが形成されている。また、分割部材２１の内面下端部には、分割部材２１の長手方向に沿って延びる切欠き溝２５が形成されている。この切欠き溝２５によって分割部材２１の長手方向に沿った両縁部側部分は長手方向に直交する方向に対して互いに弾性を有するようになる。このため、分割部材２１は、両側縁部を中心側に向って押圧することにより切欠き溝２５を中心として撓むことができ、その押圧を解除すると弾性により元の状態に復元する。
【００１８】
分割部材２２の外周面は、分割部材２１の外周面と略同じ形状で略同じ大きさに形成されており、分割部材２２の内周面の直径は、医療用針１０の可撓部１７ａの直径と同じかわずかに大きくなるように設定されている。このため、補強具２０を医療用針１０の細径部１４に取り付けたときに、医療用針１０の外周面と分割部材２２の外周面とは略同一面上に位置するようになり、分割部材２２の内周面と可撓部１７ａの外周面とは略接触した状態になる。また、図６に示したように、分割部材２２の内周面における両側部分には、それぞれ細径部１４のテーパ部１７ｂ，１７ｃに接触した状態でテーパ部１７ｂ，１７ｃに沿うことのできるテーパ状の凹部２６ａ，２６ｂが形成されている。
【００１９】
そして、分割部材２２の長手方向に沿った両縁部の下端面には、それぞれ凹部２７ａ，２７ｂが形成され、両凹部２７ａ，２７ｂの外部側に位置する面に、分割部材２１の係合部２４ａ，２４ｂと係合可能な被係合凹部２８ａ，２８ｂが形成されている。このため、分割部材２１を分割部材２２に組付ける場合には、まず分割部材２１の両側縁部を中心側に押圧して分割部材２１を撓ませた状態で、分割部材２１の係合部２４ａ，２４ｂを分割部材２２の被係合凹部２８ａ，２８ｂに合わせる。
【００２０】
そして、押圧を解除して分割部材２１を元の状態に復元させることにより、係合部２４ａ，２４ｂを被係合凹部２８ａ，２８ｂに係合させて分割部材２１を分割部材２２に組付けることができる。これによって、両分割部材２１，２２は、図４に示した状態になる。また、分割部材２２から分割部材２１を外す場合には、分割部材２１の両側縁部を中心側に押圧して分割部材２１を撓ませた状態で、分割部材２１を分割部材２２から離す。これによって、両分割部材２１，２２は、図５に示した状態になる。
【００２１】
この構成において、排液チューブを患者の創傷部（図示せず）に取り付ける場合には、まず、医療用針１０の細径部１４に補強具２０を取り付ける。ついで、排液チューブの先端部を医療用針１０の接続部１３に接続する。つぎに、医療用針１０を、穿刺部１２から患者の体内における切開部から創傷部に向けて差し込んだのちに、穿刺部１２を体の所定部分から体外に出す。そして、医療用針１０における補強具２０が取り付けられた部分が体外に出たところで、補強具２０を医療用針１０から外し、細径部１４を手で持って、医療用針１０を体外に引き抜く。
【００２２】
この場合、図７に示した補強具２０が細径部１４に取り付けられた状態から、分割部材２１の両縁部を挟んで内部側に押し付けることにより、分割部材２１を撓ませて図８に示した状態にする。これによって、分割部材２１の係合部２４ａ，２４ｂと分割部材２２の被係合凹部２８ａ，２８ｂとの係合が解除される。ついで、分割部材２１を分割部材２２および医療用針１０から離して、図９に示した状態にする。そして、分割部材２２を医療用針１０から離すことにより、図１０に示した状態にすることができる。また、医療用針１０を患者の体に穿刺する際には、医療用針１０の細径部１４に補強具２０が取り付けられているため、医療用針１０の強度が向上し、操作中に大きな力を加えても不意に医療用針１０が曲がったりすることがない。このため、スムーズな操作が可能になる。
【００２３】
そして、排液チューブの先端側部分も体外に出て、廃液チューブの後端部が創傷部に位置したところで引っ張る操作を止め、排液チューブの医療用針１０との接続部側部分を鋏で切断する。ついで、排液チューブの切断した部分を所定の吸引装置（図示せず）に接続する。そして、吸引装置を作動させることにより、創傷部に生じる分泌液を排液チューブを介して吸引装置で吸引することができる。また、医療用針１０を屈曲させた状態で使用する場合には、医療用針１０から補強具２０を外して、細径部１４を所定の角度に屈曲させて使用することができる。
【００２４】
このように、本実施形態に係る補強具２０は、医療用針１０の中で強度が小さく屈曲しやすい細径部１４に取り付けられて、医療用針１０の強度を向上させる。したがって、医療用針１０に細径部１４を設けて、医療用針１０を屈曲させて使用したい場合には、細径部１４を屈曲させることができるようにしながら、必要に応じて補強具２０を取り付けることにより医療用針１０の強度を向上させることができる。また、医療用針１０を引き抜く際には、補強具２０を取り外して細径部１４を持つことにより、医療用針１０から手が滑ることがなくなる。
【００２５】
さらに、補強具２０を、断面形状が半円形に形成された略樋状の２個の分割部材２１，２２で構成し、分割部材２１，２２を組み付けることにより円筒形になるようにしたため、２個の分割部材２１，２２の組み付けおよび組み外しの操作が簡単になる。また、その際の分割部材２１，２２の組み付けが、分割部材２１に設けた係合部２４ａ，２４ｂと分割部材２２に設けた被係合凹部２８ａ，２８ｂとを係合させることにより行われ、かつ分割部材２１が弾性による復元力を備えているため確実になる。
【００２６】
（第２実施形態）
図１１および図１２は、本発明の第２実施形態に係る補強具３０が取り付けられた医療用針１０を示している。この補強具３０は、医療用針１０が細径部１４を屈曲させた状態で使用される場合に用いられるもので、細径部１４が屈曲される角度に予め屈曲した状態に形成されている。この補強具３０は左右に配置される２個の分割部材３１，３２を着脱可能に組み付けて構成されている。そして、分割部材３１は、前述した補強具２０の分割部材２１を、長手方向に沿った一方の縁部が内周側になり他方の縁部が外周側になるように湾曲した形状に形成されており、分割部材３２は、前述した補強具２０の分割部材２２を、長手方向に沿った一方の縁部が内周側になり他方の縁部が外周側になるように湾曲した形状に形成されている。
【００２７】
この補強具３０のそれ以外の部分の構成については、前述した第１実施形態の補強具２０と同一である。したがって、分割部材３１の両縁部を中央側に押し付けることにより、分割部材３１を中心軸側に撓ませて、分割部材３２に対して着脱することができる。これによると、医療用針１０を患者の創傷部に穿刺しやすいように屈曲させることができ、その場合の医療用針１０の細径部１４の強度を向上させることができる。この実施形態に係る補強具３０のそれ以外の作用効果については、前述した第１実施形態の補強具２０と同様である。また、この実施形態においては、屈曲角度の異なる補強具を複数準備して、適宜医療用針１０の屈曲角度に応じた補強具を用いるようにすることもできる。
【００２８】
また、本発明は、前述した各実施形態に限定するものでなく適宜変更して実施することが可能である。例えば、前述した実施形態では、補強具２０，３０をステンレスで構成しているが、この補強具２０，３０を構成する材料としては、ステンレスの他、強化プラスチック等、所定の強度を備えた材料であればよい。また、前述した実施形態では、医療用針１０を患者の体から引き抜く際に、補強具２０，３０を取り外すようにしているが、補強具２０，３０の外周面に滑り止めの凹凸を設ける等して、補強具２０，３０を取り付けたまま医療用針１０を引き抜くこともできる。
【００２９】
さらに、医療用針１０の外周面と補強具２０，３０の外周面との間に段差や隙間を設けて滑り止めにすることもできる。また、分割部材２１，３１に切欠き溝２５を設けているが、分割部材２１，３１を切欠き溝２５がなくても撓ませることができるように構成すれば、この切欠き溝２５は設けなくてもよい。さらに、前述した第１実施形態の補強具２０は、医療用針１０に対して分割部材２１，２２を上下に配置するようにしているが、この場合の分割部材２１，２２の配置は医療用針１０の軸周り方向のどの方向にしてもよく、上下を反対にしてもよいし、左右に配置してもよい。
【００３０】
また、補強具２０，３０を屈曲可能な材料で構成することもできる。これによると、医療用針１０の細径部１４を所定の角度に屈曲したときに、細径部１４の屈曲角度に合わせて補強具２０，３０も屈曲させることができる。この場合の補強具２０，３０は、医療用針１０の細径部１４よりも硬度が大きく屈曲し難くい材料で構成することが好ましい。そして、細径部１４の屈曲角度に合わせて屈曲させることができるが、細径部１４に取り付けると、細径部１４と補強具２０または補強具３０との双方の強度により細径部１４および補強具２０または補強具３０が屈曲しないようにする。これによって、医療用針１０を所定の角度に屈曲することができるとともに、手術中には、医療用針１０が屈曲することを防止できる。
【図面の簡単な説明】
【００３１】
【図１】本発明の第１実施形態に係る補強具が取り付けられた医療用針を示した斜視図である。
【図２】補強具が取り付けられた医療用針を示しており、（ａ）は側面図、（ｂ）は底面図である。
【図３】医療用針を示した斜視図である。
【図４】補強具を組み付けた状態を示しており、（ａ）は側面図、（ｂ）は正面図である。
【図５】補強具を分解した状態を示しており、（ａ）は側面図、（ｂ）は正面図である。
【図６】図５（ｂ）の６−６断面図である。
【図７】医療用針に補強具を取り付けた状態を示しており、（ａ）は底面図、（ｂ）は図７（ａ）の断面図である。
【図８】医療用針に取り付けられた補強具を構成する分割部材どうしの係合を解除する状態を示しており、（ａ）は底面図、（ｂ）は図８（ａ）の断面図である。
【図９】医療用針に取り付けられた補強具を構成する一方の分割部材を外した状態を示しており、（ａ）は側面図、（ｂ）は図９（ａ）の断面図である。
【図１０】医療用針に取り付けられた補強具を外した状態を示した側面図である。
【図１１】第２実施形態に係る補強具が取り付けられた医療用針を示した側面図である。
【図１２】第２実施形態に係る補強具が取り付けられた医療用針を示した底面図である。
【符号の説明】
【００３２】
１０…医療用針、１１…本体、１２…穿刺部、１３…接続部、１４…細径部、２０，３０…補強具、２１，２２，３１，３２…分割部材、２４ａ，２４ｂ…係合部、２８ａ，２８ｂ…被係合凹部。
【図１】
0004468889.tif 000002
【図２】
0004468889.tif 000003
【図３】
0004468889.tif 000004
【図４】
0004468889.tif 000005
【図５】
0004468889.tif 000006
【図６】
0004468889.tif 000007
【図７】
0004468889.tif 000008
【図８】
0004468889.tif 000009
【図９】
0004468889.tif 000010
【図１０】
0004468889.tif 000011
【図１１】
0004468889.tif 000012
【図１２】
0004468889.tif 000013